(57)【要約】      （修正有）【課題】棚卸をした物品の状態が異常状態であった場合、利用者に負担を強いることなく、適切な対処をとらせること。【解決手段】制御部２０３は、棚卸領域情報を読み取る。そして、制御部２０３は、棚卸領域にある物品の棚卸処理をおこなう。制御部２０３は、表示部２０４を制御して棚卸処理による棚卸結果の表示処理をおこなう。制御部２０３は、棚卸結果に基づいて復帰処理をおこなうか否かを判断する。制御部２０３は、利用者による処理選択ボタンの選択に基づいて、棚卸異常状態に対する復帰処理に関する選択をおこない、棚卸異常状態に応じて復帰処理をおこなう。【選択図】図２
2010070332.tif 000002
【特許請求の範囲】
【請求項１】
棚卸の対象である物品に貼付され、前記物品の識別情報が記録された無線タグから無線通信によって前記識別情報を読み取って前記物品の棚卸をおこなう物品棚卸装置であって、
前記棚卸による棚卸領域情報を取得する領域情報取得手段と、
予め登録された前記物品の登録識別情報と、収納領域情報とを関連付けた物品リストを記録する記録手段と、
前記物品の識別情報および前記領域情報取得手段によって取得された前記棚卸領域情報について、前記記録手段によって記録された前記物品リストにおける前記登録識別情報および前記収納領域情報がそれぞれ一致するか否かを判定する判定手段と、
前記判定手段によって、前記識別情報および前記登録識別情報と、前記棚卸領域情報および前記収納領域情報とのうち、少なくともいずれか一方が一致しないと判定された場合、前記物品を棚卸異常状態に分類する分類手段と、
前記分類手段によって前記棚卸異常状態に分類された前記物品について、棚卸正常状態への復帰処理を実行する復帰処理手段と、
を備えることを特徴とする物品棚卸装置。
【請求項２】
前記分類手段は、前記物品リストに記録された前記登録識別情報のうち、前記識別情報が読み取れなかった前記物品を未発見状態に分類し、
前記復帰処理手段は、前記分類手段によって前記未発見状態に分類された前記物品に基づいて、前記無線タグの読み取りをおこない、読取結果に基づいて前記物品リストを更新することを特徴とする請求項１に記載の物品棚卸装置。
【請求項３】
前記分類手段は、前記棚卸領域のうち所定の区分に区別したうち、少なくとも１以上の区分について前記棚卸をおこなった結果、前記識別情報が読み取れなかった前記物品を前記未発見状態に分類し、
前記復帰処理手段は、前記分類手段によって前記未発見状態に分類された前記物品を探索対象として前記無線タグの読み取りをおこなうことを特徴とする請求項２に記載の物品棚卸装置。
【請求項４】
前記分類手段は、前記識別情報と前記登録識別情報とが一致した前記物品について、前記棚卸領域情報と前記収納領域情報とが一致しない場合は、前記物品を場所違い状態に分類し、
前記復帰処理手段は、前記領域情報取得手段によって取得された前記棚卸領域情報に基づいて、前記物品リストを更新することを特徴とする請求項１に記載の物品棚卸装置。
【請求項５】
前記分類手段は、前記識別情報と前記登録識別情報とが一致した前記物品について、前記棚卸領域情報と前記収納領域情報とが一致しない場合は、前記物品を場所違い状態に分類し、
前記復帰処理手段は、前記分類手段によって前記場所違い状態に分類された前記物品を探索対象として前記無線タグの読み取りをおこない、読取結果に基づいて前記収納領域情報を報知することを特徴とする請求項１に記載の物品棚卸装置。
【請求項６】
前記分類手段は、前記棚卸によって読み取られた前記識別情報のうち、前記登録識別情報にない前記物品を未登録状態に分類し、
前記復帰処理手段は、前記分類手段によって前記未登録状態に分類された前記物品の識別情報と、前記物品リストから廃棄された廃棄物品の識別情報を示す廃棄リストとを比較した結果に基づいて、前記復帰処理を実行することを特徴とする請求項１に記載の物品棚卸装置。
【請求項７】
前記分類手段による分類結果に基づいて、前記棚卸異常状態を示す棚卸結果情報を表示する表示手段をさらに備え、
前記復帰処理手段は、前記表示手段によって表示された前記棚卸結果情報に基づいて、利用者に前記復帰処理を報知することを特徴とする請求項１から６のいずれか一つに記載の物品棚卸装置。
【請求項８】
棚卸の対象である物品に貼付され、前記物品の識別情報が記録された無線タグと、前記無線タグと通信する無線タグ通信装置と、予め登録された前記物品の登録識別情報と、収納領域情報とを関連付けた物品リストを記録するデータベースとを含む物品棚卸システムであって、
前記無線タグ通信装置は、
前記物品の識別情報を読み取るための無線通信手段と、
前記棚卸による棚卸領域情報を取得する領域情報取得手段と、
前記無線通信手段によって読み取られた前記物品の識別情報と、前記領域情報取得手段によって取得された前記棚卸領域情報とを、前記データベースへ送信する送信手段と、を有し、
前記データベースは、
前記送信手段によって送信された前記物品の識別情報と、前記棚卸領域情報とを受信する受信手段と、
前記受信手段によって受信された前記物品の識別情報および前記棚卸領域情報について、前記物品リストにおける前記登録識別情報および前記収納領域情報がそれぞれ一致するか否かを判定する判定手段と、
前記判定手段によって、前記識別情報および前記登録識別情報と、前記棚卸領域情報および前記収納領域情報とのうち、少なくともいずれか一方が一致しないと判定された場合、前記物品を棚卸異常状態に分類する分類手段と、
前記分類手段によって前記棚卸異常状態に分類された前記物品について、棚卸正常状態への復帰処理を実行する復帰処理手段と、
を有することを特徴とする物品棚卸システム。
【請求項９】
前記復帰処理手段は、前記棚卸異常状態として分類された前記物品を探索対象として、前記無線タグ通信装置に探索指示を出力し、
前記無線タグ通信装置は、前記探索指示に基づいて前記物品の探索処理をおこない、前記探索処理の結果を前記データベースへ出力し、
さらに前記復帰処理手段は、前記探索処理の結果に基づいて、前記物品リストを更新することを特徴とする請求項８に記載の物品棚卸システム。
【請求項１０】
棚卸の対象である物品に貼付され、前記物品の識別情報が記録された無線タグから無線通信によって読み取られた前記物品の識別情報と、予め登録された前記物品の登録識別情報および収納領域情報を関連付けた物品リストとを用いて前記物品の棚卸をおこなう物品棚卸方法であって、
前記無線通信によって前記物品の識別情報を読み取る無線通信工程と、
前記棚卸による棚卸領域情報を取得する領域情報取得工程と、
前記無線通信工程によって読み取られた前記物品の識別情報および前記領域情報取得工程によって取得された前記棚卸領域情報について、前記物品リストにおける前記登録識別情報および前記収納領域情報がそれぞれ一致するか否かを判定する判定工程と、
前記判定工程によって、前記識別情報および前記登録識別情報と、前記棚卸領域情報および前記収納領域情報とのうち、少なくともいずれか一方が一致しないと判定された場合、前記物品を棚卸異常状態に分類する分類工程と、
前記分類工程によって前記棚卸異常状態に分類された前記物品について、棚卸正常状態への復帰処理を実行する復帰処理工程と、
を含むことを特徴とする物品棚卸方法。
【請求項１１】
棚卸の対象である物品に貼付され、前記物品の識別情報が記録された無線タグから無線通信によって読み取られた前記物品の識別情報と、予め登録された前記物品の登録識別情報および収納領域情報を関連付けた物品リストとを用いた前記棚卸物品の棚卸をコンピュータに実行させることを特徴とする物品棚卸プログラムであって、
前記無線通信によって前記物品の識別情報を読み取らせる無線通信工程と、
前記棚卸による棚卸領域情報を取得させる領域情報取得工程と、
前記無線通信工程によって読み取られた前記物品の識別情報および前記領域情報取得工程によって取得された前記棚卸領域情報について、前記物品リストにおける前記登録識別情報および前記収納領域情報がそれぞれ一致するか否かを判定させる判定工程と、
前記判定工程によって、前記識別情報および前記登録識別情報と、前記棚卸領域情報および前記収納領域情報とのうち、少なくともいずれか一方が一致しないと判定された場合、前記物品を棚卸異常状態に分類させる分類工程と、
前記分類工程によって前記棚卸異常状態に分類させた前記物品について、棚卸正常状態への復帰処理を実行させる復帰処理工程と、
をコンピュータに実行させることを特徴とする物品棚卸プログラム。
【発明の詳細な説明】
【技術分野】
【０００１】
この発明は、棚卸の対象である物品の棚卸をおこなう物品棚卸装置、物品棚卸システム、物品棚卸方法および物品棚卸プログラムに関し、特に、物品に貼付され、物品の識別情報が記録された無線タグから、無線通信によって識別情報を読み取って棚卸をおこなう物品棚卸装置、物品棚卸システム、物品棚卸方法および物品棚卸プログラムに関する。
【背景技術】
【０００２】
従来より、所定の場所に置かれる物品に、その物品の識別番号が記録されたＲＦＩＤ（ＲａｄｉｏＦｒｅｑｕｅｎｃｙ Ｉｄｅｎｔｉｆｉｃａｔｉｏｎ ）タグが貼付されている場合がある。そして、利用者は、ＲＦＩＤリーダによってＲＦＩＤタグから物品の識別情報を読み取って、物品の棚卸をおこなうことができる。
【０００３】
近年、図書館における資料について、ＲＦＩＤタグと、ＲＦＩＤリーダとを用いて点検管理をおこなうシステムが提案されている（特許文献１）。このシステムでは、利用者は、点検の対象とする資料の種類や配架場所などの点検の範囲を設定する。利用者は、サーバに対し、点検の範囲について点検対象範囲を指定する。サーバは、点検対象範囲に基づいて、点検業務のための点検ＤＢ（データベース）を生成する。
【０００４】
利用者は、ＲＦＩＤリーダによって点検の範囲における資料に貼付されたＲＦＩＤタグを読み取る。サーバは、ＲＦＩＤリーダによって読み取られた情報を取得して、点検ＤＢと比較する。そして、サーバは、ＲＦＩＤリーダによって読み取られた情報と、点検ＤＢとを比較した結果、資料の紛失がないかどうか、貸出中かどうか、紛失中かどうかなどを点検結果の資料の状態として表示させる。
【特許文献１】特開２００５−３３２３３２号公報
【発明の開示】
【発明が解決しようとする課題】
【０００５】
しかしながら、上述した特許文献１に記載の従来技術では、サーバは、点検結果における資料の状態を表示させている。利用者は、表示された資料の状態によって点検結果を確認する構成である。すなわち、従来技術では、点検の結果、資料の状態が紛失や場所間違いのような異常な状態であったとしても、正常な状態へ復帰させるなど、異常な状態への対処についてはなんら考慮がされていなかった。したがって、利用者は、利用者自身で異常な状態への対処を選択して実行しなければならないという負担を強いられる問題があった。
【０００６】
この発明は、上述した問題を解消するため、物品の棚卸をおこなった結果、物品の状態が異常状態であった場合、利用者に負担を強いることなく、適切な対処をおこなうことができる物品棚卸装置、物品棚卸システム、物品棚卸方法および物品棚卸プログラムを提供することを目的とする。
【課題を解決するための手段】
【０００７】
上述した課題を解決し、目的を達成するため、請求項１の発明にかかる物品棚卸装置は、棚卸の対象である物品に貼付され、前記物品の識別情報が記録された無線タグから無線通信によって前記識別情報を読み取って前記物品の棚卸をおこなう物品棚卸装置であって、前記棚卸による棚卸領域情報を取得する領域情報取得手段と、予め登録された前記物品の登録識別情報と、収納領域情報とを関連付けた物品リストを記録する記録手段と、前記物品の識別情報および前記領域情報取得手段によって取得された前記棚卸領域情報について、前記記録手段によって記録された前記物品リストにおける前記登録識別情報および前記収納領域情報がそれぞれ一致するか否かを判定する判定手段と、前記判定手段によって、前記識別情報および前記登録識別情報と、前記棚卸領域情報および前記収納領域情報とのうち、少なくともいずれか一方が一致しないと判定された場合、前記物品を棚卸異常状態に分類する分類手段と、前記分類手段によって前記棚卸異常状態に分類された前記物品について、棚卸正常状態への復帰処理を実行する復帰処理手段と、を備えることを特徴とする。
【０００８】
本発明によれば、棚卸異常状態に分類された物品について、棚卸正常状態への復帰処理を実行することができるため、利用者に、棚卸異常状態への適切な対処を取らせることができる。
【０００９】
請求項２の発明にかかる物品棚卸装置は、請求項１に記載の発明において、前記分類手段は、前記物品リストに記録された前記登録識別情報のうち、前記識別情報が読み取れなかった前記物品を未発見状態に分類し、前記復帰処理手段は、前記分類手段によって前記未発見状態に分類された前記物品に基づいて、前記無線タグの読み取りをおこない、読取結果に基づいて前記物品リストを更新することを特徴とする。
【００１０】
本発明によれば、未発見状態に対して、物品の無線タグの読み取りをおこなうことができるため、未発見状態への適切な対処をとらせることができる。
【００１１】
請求項３の発明にかかる物品棚卸装置は、請求項２に記載の発明において、前記分類手段は、前記棚卸領域のうち所定の区分に区別したうち、少なくとも１以上の区分について前記棚卸をおこなった結果、前記識別情報が読み取れなかった前記物品を前記未発見状態に分類し、前記復帰処理手段は、前記分類手段によって前記未発見状態に分類された前記物品を探索対象として前記無線タグの読み取りをおこなうことを特徴とする。
【００１２】
本発明によれば、１以上の区分について棚卸をおこない、未発見状態に分類された登録物品を探索対象として、物品の無線タグを読み取ることができるため、未発見状態への適切な対処をとらせることができる。
【００１３】
請求項４の発明にかかる物品棚卸装置は、請求項１に記載の発明において、前記分類手段は、前記識別情報と前記登録識別情報とが一致した前記物品について、前記棚卸領域情報と前記収納領域情報とが一致しない場合は、前記物品を場所違い状態に分類し、前記復帰処理手段は、前記領域情報取得手段によって取得された前記棚卸領域情報に基づいて、前記物品リストを更新することを特徴とする。
【００１４】
本発明によれば、場所違い状態に対して、物品リストを更新することができるため、物品リストを正常な状態へ復帰させることができる。
【００１５】
請求項５の発明にかかる物品棚卸装置は、請求項１に記載の発明において、前記分類手段は、前記識別情報と前記登録識別情報とが一致した前記物品について、前記棚卸領域情報と前記収納領域情報とが一致しない場合は、前記物品を場所違い状態に分類し、前記復帰処理手段は、前記分類手段によって前記場所違い状態に分類された前記物品を探索対象として前記無線タグの読み取りをおこない、読取結果に基づいて前記収納領域情報を報知することを特徴とする。
【００１６】
本発明によれば、場所違い状態に分類された物品を探索対象として無線タグを読み取り、読取結果を利用者に報知することができるため、場所違い状態への適切な対処をとらせることができる。
【００１７】
請求項６の発明にかかる物品棚卸装置は、請求項１に記載の発明において、前記分類手段は、前記棚卸によって読み取られた前記識別情報のうち、前記登録識別情報にない前記物品を未登録状態に分類し、前記復帰処理手段は、前記分類手段によって前記未登録状態に分類された前記物品の識別情報と、前記物品リストから廃棄された廃棄物品の識別情報を示す廃棄リストとを比較した結果に基づいて、前記復帰処理を実行することを特徴とする。
【００１８】
本発明によれば、未登録状態に分類された物品と、廃棄リストとを比較して復帰処理を実行することができるため、未登録状態への適切な対処を取らせることができる。
【００１９】
請求項７の発明にかかる物品棚卸装置は、請求項１から６のいずれか一つに記載の発明において、前記分類手段による分類結果に基づいて、前記棚卸異常状態を示す棚卸結果情報を表示する表示手段をさらに備え、前記復帰処理手段は、前記表示手段によって表示された前記棚卸結果情報に基づいて、利用者に前記復帰処理を報知することを特徴とする。
【００２０】
本発明によれば、棚卸異常状態を示す棚卸結果情報を表示して、利用者に復帰処理を報知することができるため、棚卸異常状態への対処を確実に取らせることができる。
【００２１】
請求項８の発明にかかる物品棚卸システムは、棚卸の対象である物品に貼付され、前記物品の識別情報が記録された無線タグと、前記無線タグと通信する無線タグ通信装置と、予め登録された前記物品の登録識別情報と、収納領域情報とを関連付けた物品リストを記録するデータベースとを含む物品棚卸システムであって、前記無線タグ通信装置は、前記物品の識別情報を読み取るための無線通信手段と、前記棚卸による棚卸領域情報を取得する領域情報取得手段と、前記無線通信手段によって読み取られた前記物品の識別情報と、前記領域情報取得手段によって取得された前記棚卸領域情報とを、前記データベースへ送信する送信手段と、を有し、前記データベースは、前記送信手段によって送信された前記物品の識別情報と、前記棚卸領域情報とを受信する受信手段と、前記受信手段によって受信された前記物品の識別情報および前記棚卸領域情報について、前記物品リストにおける前記登録識別情報および前記収納領域情報がそれぞれ一致するか否かを判定する判定手段と、前記判定手段によって、前記識別情報および前記登録識別情報と、前記棚卸領域情報および前記収納領域情報とのうち、少なくともいずれか一方が一致しないと判定された場合、前記物品を棚卸異常状態に分類する分類手段と、前記分類手段によって前記棚卸異常状態に分類された前記物品について、棚卸正常状態への復帰処理を実行する復帰処理手段と、を有することを特徴とする。
【００２２】
本発明によれば、棚卸異常状態に分類された物品について、棚卸正常状態への復帰処理を実行することができるため、棚卸異常状態への適切な対処を取らせることができる。
【００２３】
請求項９の発明にかかる物品棚卸システムは、請求項８に記載の発明において、前記復帰処理手段は、前記棚卸異常状態として分類された前記物品を探索対象として、前記無線タグ通信装置に探索指示を出力し、前記無線タグ通信装置は、前記探索指示に基づいて前記物品の探索処理をおこない、前記探索処理の結果を前記データベースへ出力し、さらに前記復帰処理手段は、前記探索処理の結果に基づいて、前記物品リストを更新することを特徴とする。
【００２４】
本発明によれば、棚卸異常状態に分類された物品を探索対象として物品の無線タグを読み取り、読取結果に基づいて物品リストを更新することができるため、物品リストを正常な状態へ復帰させることができる。
【００２５】
請求項１０の発明にかかる物品棚卸方法は、棚卸の対象である物品に貼付され、前記物品の識別情報が記録された無線タグから無線通信によって読み取られた前記物品の識別情報と、予め登録された前記物品の登録識別情報および収納領域情報を関連付けた物品リストとを用いて前記物品の棚卸をおこなう物品棚卸方法であって、前記無線通信によって前記物品の識別情報を読み取る無線通信工程と、前記棚卸による棚卸領域情報を取得する領域情報取得工程と、前記無線通信工程によって読み取られた前記物品の識別情報および前記領域情報取得工程によって取得された前記棚卸領域情報について、前記物品リストにおける前記登録識別情報および前記収納領域情報がそれぞれ一致するか否かを判定する判定工程と、前記判定工程によって、前記識別情報および前記登録識別情報と、前記棚卸領域情報および前記収納領域情報とのうち、少なくともいずれか一方が一致しないと判定された場合、前記物品を棚卸異常状態に分類する分類工程と、前記分類工程によって前記棚卸異常状態に分類された前記物品について、棚卸正常状態への復帰処理を実行する復帰処理工程と、を含むことを特徴とする。
【００２６】
本発明によれば、棚卸異常状態に分類された物品について、棚卸正常状態への復帰処理を実行することができるため、棚卸異常状態への適切な対処を取らせることができる。
【００２７】
請求項１１の発明にかかる物品棚卸プログラムは、棚卸の対象である物品に貼付され、前記物品の識別情報が記録された無線タグから無線通信によって読み取られた前記物品の識別情報と、予め登録された前記物品の登録識別情報および収納領域情報を関連付けた物品リストとを用いた前記棚卸物品の棚卸をコンピュータに実行させることを特徴とする物品棚卸プログラムであって、前記無線通信によって前記物品の識別情報を読み取らせる無線通信工程と、前記棚卸による棚卸領域情報を取得させる領域情報取得工程と、前記無線通信工程によって読み取られた前記物品の識別情報および前記領域情報取得工程によって取得された前記棚卸領域情報について、前記物品リストにおける前記登録識別情報および前記収納領域情報がそれぞれ一致するか否かを判定させる判定工程と、前記判定工程によって、前記識別情報および前記登録識別情報と、前記棚卸領域情報および前記収納領域情報とのうち、少なくともいずれか一方が一致しないと判定された場合、前記物品を棚卸異常状態に分類させる分類工程と、前記分類工程によって前記棚卸異常状態に分類させた前記物品について、棚卸正常状態への復帰処理を実行させる復帰処理工程と、をコンピュータに実行させることを特徴する。
【００２８】
本発明によれば、棚卸異常状態に分類された物品について、棚卸正常状態への復帰処理を実行することができるため、棚卸異常状態への適切な対処を取らせることができる。
【発明の効果】
【００２９】
本発明にかかる物品棚卸装置、物品棚卸システム、物品棚卸方法および物品棚卸プログラムによれば、物品の棚卸をおこなった結果、物品の状態が異常状態であった場合、利用者に負担を強いることなく、適切な対処をおこなうことができるという効果を奏する。
【発明を実施するための最良の形態】
【００３０】
以下に添付図面を参照して、この発明にかかる物品棚卸装置、物品棚卸システム、物品棚卸方法および物品棚卸プログラムの好適な実施の形態を詳細に説明する。
【００３１】
（実施形態１）
（物品棚卸装置の概要）
まず、図１を用いて、本発明にかかる物品棚卸装置を用いた物品の棚卸の概要について説明する。図１は、本発明の実施形態１にかかる物品の棚卸の概要を示す説明図である。
【００３２】
図１において、物品の棚卸をおこなう棚卸領域ＲｏｏｍＡ，ＲｏｏｍＢの出入口には、棚卸をおこなう領域を示す棚卸領域情報が記録された領域タグＴａ，Ｔｂが設置されている。棚卸領域ＲｏｏｍＡ，ＲｏｏｍＢにそれぞれ保管されている棚卸の対象である物品Ａ−０１〜０６，Ｂ−０１〜０６（以下、それぞれ区別せずに説明する場合は、単に「物品Ａ・Ｂ」とする）には、各物品Ａ・Ｂを識別するための識別情報が記録された物品タグＴが貼付されている。なお、本発明の実施形態１では、ＲＦＩＤリーダ１０１によって、本発明にかかる物品棚卸装置を実現する場合について説明する。
【００３３】
ＲＦＩＤリーダ１０１は、利用者から入力部２０５によって入力される操作に基づいて、通信範囲に存在する無線タグのＩＤを読み取る。具体的には、ＲＦＩＤリーダ１０１は、棚卸領域ＲｏｏｍＡの出入口で領域タグＴａから棚卸領域ＲｏｏｍＡの棚卸領域情報として領域タグＴａのＩＤを読み取って、これから棚卸をおこなう領域が棚卸領域ＲｏｏｍＡである旨を表示部２０４に表示する。そして、ＲＦＩＤリーダ１０１は、棚卸領域ＲｏｏｍＡ内に保管されている物品Ａの識別情報として、物品Ａに貼付された物品タグＴのＩＤを読み取って、読み取った結果を表示部２０４に表示する。
【００３４】
同様にして、ＲＦＩＤリーダ１０１は、入力部２０５によって入力される操作に基づいて、棚卸領域ＲｏｏｍＢの出入口で領域タグＴｂから領域タグＴｂのＩＤを読み取ると、これから棚卸をおこなう領域が棚卸領域ＲｏｏｍＢである旨を表示部２０４に表示する。そして、ＲＦＩＤリーダ１０１は、棚卸領域ＲｏｏｍＢ内に保管されている物品Ｂ貼付された物品タグＴのＩＤを読み取って、読み取った結果を表示部２０４に表示する。
【００３５】
そして、ＲＦＩＤリーダ１０１は、棚卸結果として、棚卸をおこなった棚卸領域ＲｏｏｍＡ，ＲｏｏｍＢにおける物品Ａ・Ｂの状態を表示部２０４に表示する。具体的には、ＲＦＩＤリーダ１０１は、物品Ａ・Ｂが存在していない（棚卸をおこなった領域にない）状態や、物品Ａ・Ｂが収納されるべき領域に正しく収納されていない状態などの棚卸異常状態を表示部２０４に表示するとともに、棚卸状態を正常に復帰させる復帰処理を促す表示をおこなう。
【００３６】
そして、利用者は、表示部２０４に表示された情報（復帰処理を促す表示）に基づいて、入力部２０５を操作することで、ＲＦＩＤリーダ１０１を用いて棚卸正常状態への復帰処理を実行することができる。
【００３７】
（ＲＦＩＤリーダ１０１のハードウェア構成）
つぎに、図２を用いて、図１に示したＲＦＩＤリーダ１０１のハードウェア構成ついて説明する。図２は、本発明の実施形態１にかかるＲＦＩＤリーダのハードウェア構成の一例を示す説明図である。
【００３８】
図２において、ＲＦＩＤリーダ１０１は、記録部２０１と、アンテナ２０２と、制御部２０３と、表示部２０４と、入力部２０５と、を備えている。
【００３９】
記録部２０１は、ＨＤ（ハードディスク）や着脱可能な記録媒体の一例としてのＦＤ（フレキシブルディスク）などであり、この記録部２０１には、それぞれのドライブデバイスを有し、制御部２０３の制御にしたがってデータが記録される。また、記録部２０１からは、それぞれのドライブデバイスの制御にしたがってデータが読み取られる。
【００４０】
この記録部２０１には、予め登録された物品Ａ・Ｂの登録識別情報と、登録された物品Ａ・Ｂが収納されるべき領域を示す収納領域情報とを含む物品リストなどの各種データが記録されている。具体的には、記録部２０１には、物品リストとして物品Ａ・Ｂの棚卸結果に関連する物品テーブル３００，４００（図３，４参照）、廃棄された廃棄物品を示す廃棄テーブル５００（図５参照）などが記録されている。
【００４１】
アンテナ２０２は、制御部２０３の制御にしたがって、通信範囲に存在する物品タグＴや領域タグＴａ，Ｔｂと通信をおこなう。アンテナ２０２は、物品タグＴや領域タグＴａ，Ｔｂとの通信によって、識別情報や棚卸領域情報を読み取り、読み取った結果を制御部２０３へ出力する。
【００４２】
制御部２０３は、ＲＦＩＤリーダ１０１全体の制御を司る。具体的には、制御部２０３は、ＣＰＵ（セントラルプロセッシングユニット）、ＲＯＭ（リードオンリーメモリ）、ＲＡＭ（ランダムアクセスメモリ）などによって構成されており、ＲＯＭは、各種プログラムを記録している。また、ＲＡＭは、ＣＰＵのワークエリアとして使用される。
【００４３】
詳細には制御部２０３は、ＲＦＩＤリーダ１０１の電源が入ると各構成部の制御プログラムを起動させ、各構成部の制御をおこなう。たとえば、制御部２０３は、アンテナ２０２を制御して物品タグＴや領域タグＴａ，Ｔｂから識別情報や棚卸領域情報を読み取らせる。
【００４４】
制御部２０３は、アンテナ２０２を介して読み取られた物品Ａ・Ｂの識別情報および棚卸領域情報について、記録部２０１に記録されている物品テーブル３００，４００における、登録識別情報および収納領域情報がそれぞれ一致するか否かを判定する。
【００４５】
制御部２０３は、識別情報および登録識別情報と、棚卸領域情報および収納領域情報とのうち、少なくともいずれか一方が一致しないと判定された場合、物品Ａ・Ｂを棚卸異常状態に分類する。具体的には、たとえば、制御部２０３は、登録識別情報のうち、識別情報が読み取れなかった物品Ａ・Ｂを未発見状態に分類する。また、制御部２０３は、識別情報と登録識別情報とが一致した物品Ａ・Ｂについて、棚卸領域情報と収納領域情報とが一致しない場合は、物品Ａ・Ｂを場所違い状態に分類する。また、制御部２０３は、棚卸によって読み取られた識別情報のうち、登録識別情報にない物品Ａ・Ｂを未登録状態に分類する。
【００４６】
制御部２０３は、棚卸異常状態に分類された物品Ａ・Ｂについて、棚卸正常状態への復帰処理を実行する。具体的には、制御部２０３は、未発見状態に分類された物品Ａ・Ｂに基づいて、物品タグＴの読み取りをおこなう。すなわち、制御部２０３は、未発見状態に分類された物品Ａ・Ｂを探索対象として物品Ａ・Ｂの物品タグＴの読み取りをおこない、読取結果に基づいて、物品テーブル４００を更新させる。
【００４７】
制御部２０３は、物品Ａ・Ｂが場所違い状態に分類された場合、物品Ａ・Ｂの棚卸領域情報に基づいて、物品テーブル４００を更新する。具体的には、制御部２０３は、物品Ａ・Ｂについて棚卸された棚卸領域情報が収納領域情報と異なる場合、物品テーブル４００の発見場所３０４を物品Ａ・Ｂの識別情報を読み取った（棚卸された）棚卸領域情報に変更する。また、制御部２０３は、物品Ａ・Ｂが場所違い状態に分類された場合、物品Ａ・Ｂを探索対象として物品タグＴの読み取りをおこない、読取結果に基づいて収納領域情報を報知することとしてもよい。このようにすることで、収納領域情報と異なった棚卸領域情報であった物品Ａ・Ｂを探索して、物品Ａ・Ｂを収納されるべき領域に戻すことができる。
【００４８】
制御部２０３は、物品Ａ・Ｂが未登録状態に分類された場合、物品Ａ・Ｂの識別情報と、廃棄された廃棄物品の識別情報を示す廃棄テーブル５００とを比較した結果に基づいて、復帰処理を実行する。具体的には、制御部２０３は、未登録状態に分類された物品Ａ・Ｂが廃棄テーブル５００に存在する場合、廃棄されたはずの物品Ａ・Ｂがまだ存在していることになるため、利用者に、その物品Ａ・Ｂの廃棄を促す。また、制御部２０３は、未登録状態に分類された物品Ａ・Ｂが廃棄テーブル５００に存在しない場合、利用者に、その物品Ａ・Ｂを物品テーブル４００へ登録するよう促す。
【００４９】
制御部２０３は、表示部２０４の出力制御をおこない、棚卸結果情報を報知させる。具体的には、棚卸結果情報は、制御部２０３によって分類された棚卸異常状態を示す情報でもよい。また、制御部２０３は、表示部２０４を介して利用者に復帰処理に関する報知をおこなう。制御部２０３は、入力部２０５からの各種入力情報を受け付け、受け付けた入力情報に基づいてＲＦＩＤリーダ１０１の制御をおこなう。入力部２０５は、たとえば、タッチパネルや操作ボタンなどによって構成され、利用者によって各種入力がおこなわれる。
【００５０】
なお、本発明の実施形態１では、物品Ａ・Ｂが棚卸異常状態に分類された場合について説明したが、識別情報および登録識別情報と、棚卸領域情報および収納領域情報とがそれぞれ一致した場合は、棚卸正常状態であるため、復帰処理をおこなうことなく、利用者に棚卸が正常であった旨を表示部２０４など表示することで報知する。
【００５１】
上記では、特に探索モードについて説明しなかったが、ＲＦＩＤリーダ１０１は、無線タグ（領域タグＴａ，Ｔｂや物品タグＴ）と通信をおこなうため、複数の探索モード機能を備えている。具体的には、たとえば、探索モード機能には、シングルサーチモード、マルチサーチモード、リストアップモードなどがある。シングルサーチモードとは、通信をおこなおうとする無線タグを１つ指定し、探索対象の無線タグがＲＦＩＤリーダ１０１の通信可能領域の範囲内に存在しているか否かを常に問いかけるよう通信し続ける処理である。マルチサーチモードとは、通信をおこなおうとする無線タグを複数指定し、探索対象の無線タグがＲＦＩＤリーダ１０１の通信可能領域の範囲内に存在しているか否かを常に問いかけるよう通信し続ける処理である。
【００５２】
リストアップモードとは、探索対象の指定（すなわち無線タグの識別情報の指定）はおこなわず、ＲＦＩＤリーダ１０１の通信可能領域の範囲内に存在する無線タグと無線通信をおこない、識別情報を読み取った無線タグをすべてリストアップする処理である。本発明の実施形態１では、ＲＦＩＤリーダ１０１は、棚卸時にはリストアップモードで無線タグと通信をおこなう。そして、必要に応じて、探索対象の無線タグを指定して（すなわちシングルサーチモードあるいはマルチサーチモードによって）無線タグと通信をおこなう構成としてもよい。
【００５３】
なお、各構成要素と、各機能とを対応付けて説明すると、図２に示した制御部２０３がアンテナ２０２を制御することによって、本発明にかかる領域情報取得手段の機能を実現する。また、制御部２０３が記録部２０１を制御することによって、本発明にかかる記録手段の機能を実現する。また、制御部２０３の処理によって、本発明にかかる判定手段および分類手段の機能を実現する。また、制御部２０３が表示部２０４を制御することによって、本発明にかかる表示手段の機能を実現する。また、制御部２０３がアンテナ２０２や表示部２０４を制御することによって、本発明にかかる復帰処理手段の機能を実現する。
【００５４】
（データの概要）
ここで、図３〜図５を用いて、本発明の実施形態１にかかる物品の棚卸に用いるデータの概要について説明する。図３は、本発明の実施形態１にかかる棚卸実行前の物品テーブルの概要を示す説明図である。
【００５５】
図３において、棚卸実行前の物品テーブル３００は、予め登録されている物品Ａ・Ｂの登録識別情報を示すＩＤ３０１と、物品Ａ・Ｂの物品名称を示す物品名称３０２と、収納されているべき領域である収納領域情報を示す登録場所３０３と、前回の棚卸時に見つかった棚卸領域情報を示す発見場所３０４と、前回の棚卸時の日時を示す発見日時３０５と、棚卸時のチェックとなるフラグ３０６と、から構成されている。ＩＤ３０１に関し、それぞれ物品タグＴのＩＤが物品Ａ−０１〜０６には１００１〜１００６、物品Ｂ０１〜０６には２００１〜２００６として割り当てられている。なお、図示はしないが、登録場所３０３や発見場所３０４を示すｒｏｏｍＡやｒｏｏｍＢにもそれぞれ領域タグＴａ，ＴｂのＩＤが割り当てられている。
【００５６】
この物品テーブル３００では、物品Ａ・Ｂそれぞれについて登録場所３０３と、発見場所３０４と同一であることから、前回の棚卸時の物品Ａ・Ｂは正しい収納領域で発見された状態（棚卸正常状態）となっている。なお、本発明の実施形態１では、物品テーブル３００は、前回の棚卸時の情報に関する発見場所３０４、発見日時３０５の内容を記録しているが、空欄として棚卸をおこなう構成でもよい。
【００５７】
図４は、本発明の実施形態１にかかる棚卸実行後の物品テーブルを示す説明図である。棚卸実行後の物品テーブル４００は、棚卸の実行によって発見場所３０４、発見日時４０５、フラグ３０６が物品テーブル３００から書き替えられている。具体的には、ＲＦＩＤリーダ１０１によって識別情報が読み取られた物品Ａ・Ｂについて、登録識別情報がある場合は、フラグに「１」が書き込まれ、発見場所３０４、発見日時３０５が書き替えられる。
【００５８】
ここで、フラグ３０６に「１」が書き込まれ、発見場所３０４が登録場所３０３と一致する場合は、物品Ａ・Ｂは棚卸正常状態に分類される。具体的には、物品テーブル４００では、物品Ａ−０１，０２，０３，０６，Ｂ−０３，０５，０６である。一方、フラグに「１」が書き込まれ、発見場所３０４が登録場所３０３と一致しない場合は、物品Ａ・Ｂは場所違い状態に分類されることとなる。具体的には、物品テーブル４００では、物品Ａ−０４である。
【００５９】
また、ＲＦＩＤリーダ１０１によって識別情報が読み取られた物品Ａ・Ｂについて、登録識別情報がない場合は、あらたにＩＤ３０１が書き込まれ、フラグ３０６、発見場所３０４、発見日時３０５がそれぞれ書き込まれる。すなわち、物品テーブル４００の最下段（ＩＤ：３００１）に示すようにフラグ３０６に「１」が書き込まれているにもかかわらず、物品名称３０２、登録場所３０３が空欄の物品は、未登録状態に分類されることとなる。
【００６０】
ＲＦＩＤリーダ１０１によって識別情報が読み取られなかった物品Ａ・Ｂについて、対応する情報の書き替えはされない。すなわち、物品テーブル４００に示したフラグ３０６が空欄である物品Ａ−０５，Ｂ−０１，０２，０４は、発見場所３０４、発見日時３０５の書き替えがなされず未発見状態に分類されることとなる。
【００６１】
図５は、本発明の実施形態１にかかる廃棄テーブルを示す説明図である。図５において、廃棄テーブル５００は、廃棄された廃棄物品の識別情報を示すＩＤ５０１と、廃棄された廃棄物品の廃棄物品名称５０２と、識別情報が読み取られた棚卸領域情報を示す発見場所５０３と、識別情報が読み取られた日時を示す発見日時５０４と、識別情報が読み取られたチェックとなるフラグ５０５と、から構成されている。
【００６２】
この廃棄テーブル５００は、未登録状態に分類された物品Ａ・Ｂについて、廃棄物品であるか否かを判定するために用いられる。未登録状態に分類された物品Ａ・Ｂの識別情報と一致するＩＤ５０１がある場合、廃棄テーブル５００における発見場所５０３、発見日時５０４、フラグ５０５が更新され、利用者に、その物品Ａ・Ｂの廃棄を促すこととなる。
【００６３】
（ＲＦＩＤリーダ１０１の処理の内容）
図６〜図１２を用いて、本発明の実施形態１にかかるＲＦＩＤリーダ１０１の処理の内容について説明する。図６は、本発明の実施形態１にかかるＲＦＩＤリーダの処理の内容を示すフローチャートである。
【００６４】
図６のフローチャートにおいて、まず、制御部２０３は、棚卸領域情報を読み取る（ステップＳ６０１）。具体的には、棚卸領域情報の読み取りは、利用者によって入力部２０５の操作を受け付けると開始され、棚卸前の物品テーブル３００のフラグ３０６がリセットされる。そして、制御部２０３によってアンテナ２０２を制御して、領域タグＴａ，Ｔｂに記録された情報を読み取る構成である。
【００６５】
制御部２０３は、ステップＳ６０１において読み取られた棚卸領域情報による棚卸領域の物品Ａ・Ｂの棚卸処理をおこなう（ステップＳ６０２）。具体的には、制御部２０３は、アンテナ２０２を制御して、アンテナ２０２の通信範囲に存在する物品タグＴと通信をおこなって、物品Ａ・Ｂの識別情報を読み取ることとなる。
【００６６】
ここで、図７を用いて、本発明の実施形態１にかかるＲＦＩＤリーダ１０１における棚卸処理（図６に示したステップＳ６０２）について説明する。図７は、本発明の実施形態１にかかる棚卸処理（図６に示したステップＳ６０２）の内容を示すフローチャートである。図７のフローチャートにおいて、まず、制御部２０３は、アンテナ２０２を制御して、棚卸領域にある物品Ａ・Ｂに貼付された物品タグＴのＩＤ（物品Ａ・Ｂの識別情報）を読み取る（ステップＳ７０１）。
【００６７】
制御部２０３は、記録部２０１に記録された物品テーブル３００，４００と、ステップＳ７０１において読み取られたＩＤとの照合をおこなう（ステップＳ７０２）。具体的には、制御部２０３は、図３に示した物品テーブル３００における登録識別情報を示すＩＤ３０１と、ステップＳ７０１において読み取られたＩＤとの照合をおこなう。
【００６８】
制御部２０３は、ステップＳ７０２において照合された結果、ステップＳ７０１において読み取られたＩＤが物品テーブル３００に存在するか否かを判断する（ステップＳ７０３）。ステップＳ７０３において、読み取られたＩＤが物品テーブル３００に存在する場合（ステップＳ７０３：Ｙｅｓ）は、制御部２０３は、物品テーブル３００を更新する（ステップＳ７０４）。この物品テーブル３００の更新は、棚卸前の物品テーブル３００のＩＤ３０１欄について、ステップＳ７０１において読み取られたＩＤがある場合、棚卸後の物品テーブル４００として発見場所３０４を棚卸領域情報で、発見日時３０５を棚卸実施日時で、フラグ３０６を「１」に書き替える。具体的には、たとえば、物品テーブル４００に示した物品Ａ−０１〜０４、０６、Ｂ−０２、０５、０６のように書き替える構成となる。
【００６９】
ステップＳ７０３において、読み取られたＩＤが物品テーブル３００に存在しない場合（ステップＳ７０３：Ｎｏ）は、制御部２０３は、物品テーブル３００にステップＳ７０１において読み取られたＩＤを新しく登録し（ステップＳ７０５）、物品テーブル３００を更新する（ステップＳ７０５）。この物品テーブル３００の更新は、棚卸後の物品テーブル４００として物品名称３０２、登録場所３０３が空欄のまま、発見場所３０４を棚卸領域情報で、発見日時３０５を棚卸実施日時で、フラグ３０６を「１」に書き替える。具体的には、たとえば、物品テーブル４００に示した最下段（ＩＤ：３００１）のように書き替える構成となる。
【００７０】
そして、制御部２０３は、棚卸を終了するか否かを判断し（ステップＳ７０６）、終了しない場合（ステップＳ７０６：Ｎｏ）は、ステップＳ７０１へ戻って処理を繰り返し、終了する場合（ステップＳ７０６：Ｙｅｓ）は、一連の棚卸処理を終了し、図６に示すステップＳ６０３へ移行する。このステップＳ７０６では、たとえば、利用者による図示しない終了ボタンの操作を受け付けた場合や、物品Ａ・Ｂの識別情報の読み取りが所定時間以上おこなわれた場合や、棚卸領域からの退出を検知した場合などに棚卸を終了することとしてもよい。
【００７１】
図６に戻って制御部２０３は、ステップＳ６０２において棚卸された棚卸結果の表示処理をおこなう（ステップＳ６０３）。具体的には、制御部２０３は、棚卸結果を分類し、分類した棚卸結果に基づいて表示部２０４の出力制御をおこなうこととなる。
【００７２】
ここで、図８を用いて、本発明の実施形態１にかかるＲＦＩＤリーダ１０１における棚卸結果の表示処理（図６に示したステップＳ６０３）について説明する。図８は、本発明の実施形態１にかかる棚卸結果の表示処理（図６に示したステップＳ６０３）の内容を示すフローチャートである。図８のフローチャートにおいて、まず、制御部２０３は、記録部２０１から棚卸後の物品テーブル４００を読み込む（ステップＳ８０１）。
【００７３】
制御部２０３は、ステップＳ８０１において読み込まれた、１からｎ行までの物品テーブル４００の上から第ｉ行目について、ｉ＝０に初期設定し（ステップＳ８０２）、インクリメント（ｉ＝ｉ＋１）する（ステップＳ８０３）。
【００７４】
制御部２０３は、ステップＳ８０１において読み込まれた物品テーブル４００のうち、ｉ行目のデータを抽出する（ステップＳ８０４）。制御部２０３は、ステップＳ８０４において抽出されたデータにおけるフラグ３０６が「１」であるか否かを判断する（ステップＳ８０５）。
【００７５】
ステップＳ８０５において、フラグ３０６が「１」でない場合（ステップＳ８０５：Ｎｏ）は、制御部２０３は、ステップＳ８０５において抽出されたデータを未発見状態に分類し（ステップＳ８０６）、ステップＳ８１１へ移行する。具体的には、図４に示した物品テーブル４００における物品Ａ−０５，Ｂ０１，０２，０４を未発見状態に分類する。
【００７６】
ステップＳ８０５において、フラグ３０６が「１」である場合（ステップＳ８０５：Ｙｅｓ）は、制御部２０３は、登録場所３０３がＮｕｌｌ（空欄）でないか否かを判断する（ステップＳ８０７）。
【００７７】
ステップＳ８０７において、登録場所３０３がＮｕｌｌである場合（ステップＳ８０７：Ｎｏ）は、制御部２０３は、ステップＳ８０５において抽出されたデータを未登録状態に分類し（ステップＳ８０６）、ステップＳ８１１へ移行する。具体的には、図４に示した物品テーブル４００における最下段（ＩＤ：３００１）を未登録状態に分類する。
【００７８】
ステップＳ８０７において、登録場所３０３がＮｕｌｌでない場合（ステップＳ８０７：Ｙｅｓ）は、制御部２０３は、登録場所３０３と発見場所３０４が同じか否かを判断する（ステップＳ８０９）。
【００７９】
ステップＳ８０９において、登録場所３０３と発見場所３０４が同じでない場合（ステップＳ８０９：Ｎｏ）は、制御部２０３は、ステップＳ８０５において抽出されたデータを場所違い状態に分類し（ステップＳ８１０）、ステップＳ８１１へ移行する。具体的には、図４に示した物品テーブル４００における物品Ａ−０４を場所違い状態に分類する。
【００８０】
ステップＳ８０９において、登録場所３０３と発見場所３０４が同じ場合（ステップＳ８０９：Ｙｅｓ）は、制御部２０３は、ｉ＝ｎになったか否かを判断する（ステップＳ８１１）。すなわち、制御部２０３は、このステップＳ８１１で物品テーブル４００のすべてのチェックをおこなったか否かを判断する。
【００８１】
ステップＳ８１１において、ｉ＝ｎでない場合（ステップＳ８１１：Ｎｏ）は、ステップＳ８０３へ戻って処理を繰り返す。ステップＳ８１１において、ｉ＝ｎとなった場合（ステップＳ８１１：Ｙｅｓ）は、ステップＳ８０６，９０８，９１０において分類された棚卸結果を表示して（ステップＳ８１２）、一連の棚卸結果の表示処理を終了し、図６に示すステップＳ６０４へ移行する。具体的には、棚卸結果の表示処理は、制御部２０３によって表示部２０４に後述する棚卸結果表示画面９００を表示させる。
【００８２】
（棚卸結果情報の表示の概要）
ここで、図９を用いて、本発明の実施形態１にかかるＲＦＩＤリーダ１０１に表示される棚卸結果について説明する。図９は、本発明の実施形態１にかかる棚卸結果表示画面の一例を示す説明図である。
【００８３】
図９において、棚卸結果表示画面９００は、棚卸をおこなった領域を示す棚卸領域表示部９１０と、棚卸異常状態を示す棚卸異常状態表示部９１５と、から構成されている。棚卸異常状態表示部９１５は、未発見状態を示す未発見表示部９２０と、場所違い状態を示す場所違い表示部９３０と、未登録状態を示す未登録状態表示部９４０と、から構成されている。未発見表示部９２０、場所違い表示部９３０、未登録状態表示部９４０は、それぞれ対応する処理選択ボタン９２１，９３１，９３２，９３３，９４１が表示されている。
【００８４】
棚卸領域表示部９１０には、棚卸をおこなった領域が一覧表示されている。未発見表示部９２０には、未発見状態に分類された物品Ａ・Ｂと、登録されている収納領域情報を示す登録場所とが一覧表示されている。具体的には、図４に示した物品テーブル４００におけるフラグが空欄の登録物品が表示される構成である。ＲＦＩＤリーダ１０１は、処理選択ボタン９２１によって、未発見状態に分類された物品Ａ・Ｂを探索対象とするように利用者に促して、棚卸正常状態への復帰処理をおこなう。
【００８５】
場所違い状態表示部９３０には、場所違い状態に分類された物品Ａ・Ｂと、予め登録されている登録場所と、物品Ａ・Ｂが読み取られた発見場所とが一覧表示されている。具体的には、図４に示した物品テーブル４００においてフラグ３０６に「１」が書き込まれ、発見場所３０４が登録場所３０３と一致しない物品Ａ・Ｂが表示される構成である。ＲＦＩＤリーダ１０１は、利用者によって選択される処理選択ボタン９３１〜９３３によって、棚卸正常状態への復帰処理をおこなう。
【００８６】
具体的には、復帰処理は、処理選択ボタン９３１によって、場所違い状態に分類された物品Ａ・Ｂを探索対象とするように利用者に促して、棚卸正常状態とする。また、復帰処理は、処理選択ボタン９３３によって、収納領域情報を物品Ａ・Ｂの識別情報を読み取った（棚卸をおこなった）棚卸領域情報に更新する構成でもよい。復帰処理の対象とする物品Ａ・Ｂは１つずつ選択も可能であるが、処理選択ボタン９３２によって、一括で選択できるようにしてもよい。
【００８７】
未登録状態表示部９４０には、未登録状態に分類された物品Ａ・Ｂと、その識別情報が読み取られた発見場所とが一覧表示されている。具体的には、図４に示した物品テーブル４００においてフラグ３０６に「１」が書き込まれているにもかかわらず、物品名称３０２、登録場所３０３が空欄の物品Ａ・Ｂが表示される構成である。ＲＦＩＤリーダ１０１は、処理選択ボタン９４１によって、未登録状態に分類された物品Ａ・Ｂを探索対象とするように利用者に促して、棚卸正常状態への復帰処理をおこなう。
【００８８】
図６へ戻って制御部２０３は、ステップＳ６０３における棚卸結果の表示処理において表示された棚卸結果に基づいて、復帰処理をおこなうか否かを判断する（ステップＳ６０４）。具体的には、制御部２０３は、ステップＳ６０３において表示された棚卸結果に、棚卸異常状態が示されているか否かによって、復帰処理をおこなうか否かを判断する。
【００８９】
ステップＳ６０４において、復帰処理をおこなわない場合（ステップＳ６０４：Ｎｏ）は、そのまま一連の処理を終了する。すなわち、ステップＳ６０４において物品Ａ・Ｂがすべて棚卸正常状態であった場合には復帰処理をおこなわずにそのまま処理を終了する。
【００９０】
ステップＳ６０４において、復帰処理をおこなう場合（ステップＳ６０４：Ｙｅｓ）は、ステップＳ６０５へ移行して、制御部２０３は、棚卸異常状態に対する復帰処理に関する選択をおこなう（ステップＳ６０５）。具体的には、復帰処理の選択は、ステップＳ６０３の表示処理によって棚卸結果表示画面９００を表示し、利用者に選択される処理選択ボタン９２１，９３１，９３２，９３３，９４１に基づいておこなわれる。具体的には、処理選択ボタン９２１，９３１，９３２，９３３，９４１の選択は、たとえば、入力部２０５を操作して、タッチパネル式の処理選択ボタン９２１，９３１，９３２，９３３，９４１を選択したり、図示しない矢印アイコンを処理選択ボタン９２１，９３１，９３２，９３３，９４１上に重ね合わせて選択したりすることとしてもよい。
【００９１】
ステップＳ６０５において、未発見状態に対応する処理選択ボタン９２１が選択された場合、ステップＳ６０６へ移行して、制御部２０３は、未発見状態である未発見物品の復帰処理をおこなう（ステップＳ６０６）。
【００９２】
ここで、図１０を用いて、本発明の実施形態１にかかるＲＦＩＤリーダ１０１における未発見物品の復帰処理（図６に示したステップＳ６０６）について説明する。図１０は、本発明の実施形態１にかかる未発見物品の復帰処理（図６に示したステップＳ６０６）の内容を示すフローチャートである。図１０のフローチャートにおいて、まず、制御部２０３は、表示部２０４を制御して利用者に未発見物品についてサーチ処理を促す（ステップＳ１００１）。具体的には、制御部２０３は、検索結果表示画面９００によって処理選択ボタン９２１の選択を促して、未発見物品を探索対象とする。
【００９３】
制御部２０３は、サーチする場所の場所タグのＩＤ（領域タグＴａまたはＴｂにおける棚卸領域情報）を読み取る（ステップＳ１００２）。具体的には、制御部２０３は、アンテナ２０２を制御して、サーチする領域タグＴａまたはＴｂの棚卸領域情報を読み取る。
【００９４】
制御部２０３は、アンテナ２０２を制御して、サーチした領域の物品Ａ・Ｂに貼付された物品タグＴのＩＤを読み取り（ステップＳ１００３）、未発見物品のＩＤが読み取れたか否かを判定する（ステップＳ１００４）。
【００９５】
ステップＳ１００４において、未発見物品のＩＤが読み取れなかった場合（ステップＳ１００４：Ｎｏ）は、タイムオーバーしたか否かを判断する（ステップＳ１０１３）。タイムオーバーは、たとえば、物品のＩＤが読めない時間があらかじめ設定された所定時間を経過した場合に発生する。
【００９６】
ステップＳ１０１３において、タイムオーバーした場合（ステップＳ１０１３：Ｙｅｓ）は、利用者に未発見物品がない旨を報知するなどして、一連の未発見物品の復帰処理を終了し、図６に示すステップＳ６０９へ移行する。なお、タイムオーバーを判断する代わりに、未発見物品のＩＤの読取について所定の試行回数を設定しておき、試行回数をオーバーするか否かを判断する構成でもよい。ステップＳ１０１３において、タイムオーバーしない場合（ステップＳ１０１３：Ｙｅｓ）は、ステップＳ１００３へ戻って処理を繰り返す。
【００９７】
ステップＳ１００４において、未発見物品のＩＤが読み取れた場合（ステップＳ１００４：Ｙｅｓ）は、制御部２０３は表示部２０４や図示しないスピーカなどを制御して、利用者に未発見物品を発見した旨を報知する（ステップＳ１００５）。
【００９８】
制御部２０３は、未発見物品の発見場所と、登録場所が一致しているか否かを判定する（ステップＳ１００６）。具体的には、制御部２０３は、ステップＳ１００２において読み取られた棚卸領域情報と、未発見状態に分類された物品の収納領域情報とが一致するか否かを判定する。
【００９９】
ステップＳ１００６において、未発見物品の発見場所と、登録場所が一致している場合（ステップＳ１００６：Ｙｅｓ）は、制御部２０３は、物品テーブル３００を更新し（ステップＳ１００７）、ステップＳ１００８へ移行する。具体的には、物品テーブル３００は、物品テーブル４００として、未発見状態に分類された物品について、発見場所３０４が発見場所または登録場所（ＲｏｏｍＡまたはＲｏｏｍＢ）、フラグ３０６が「１」に書き替えられる。
【０１００】
ステップＳ１００６において、未発見物品の発見場所と、登録場所が一致しない場合（ステップＳ１００６：Ｎｏ）は、発見された未発見物品を登録場所へ戻すか否かを判断する（ステップＳ１０１０）。登録場所へ戻すか否かの判断は、たとえば、利用者から戻すか否かの選択を受け付ける。
【０１０１】
ステップＳ１０１０において、登録場所へ戻す場合（ステップＳ１０１０：Ｙｅｓ）は、制御部２０３は表示部２０４を制御して登録場所を利用者に報知して（ステップＳ１０１１）、ステップＳ１００８へ移行する。
【０１０２】
ステップＳ１０１０において、登録場所へ戻さない場合（ステップＳ１０１０）は、制御部２０３は、物品テーブル３００を更新し（ステップＳ１０１２）、ステップＳ１００８へ移行する。物品テーブル３００は、物品テーブル４００として、未発見状態に分類された物品について、登録場所３０３および発見場所３０４が発見場所（ＲｏｏｍＡまたはＲｏｏｍＢ）、フラグ３０６が「１」に書き替えられる。
【０１０３】
制御部２０３は、ステップ１００２において場所タグの棚卸領域情報が読み取られた場所のサーチが終了したか否かを判断する（ステップＳ１００８）。サーチの終了に関する判断は、未発見物品が全て発見された場合や、図示しない終了ボタンが利用者によって選択された場合に終了する。
【０１０４】
ステップＳ１００８において、ステップ１００２において場所タグの棚卸領域情報が読み取られた場所のサーチが終了しない場合（ステップＳ１００８：Ｎｏ）は、ステップＳ１００３へ戻って処理を繰り返し、サーチが終了した場合（ステップＳ１００８：Ｙｅｓ）は、制御部２０３は、未発見物品の復帰処理を終了するか否かを判断する（ステップＳ１００９）。この終了に関する判断は、未発見物品が全て発見された場合、図示しない終了ボタンが利用者によって選択された場合に終了する。
【０１０５】
ステップＳ１００９において、復帰処理を終了しない場合（ステップＳ１００９：Ｎｏ）は、ステップＳ１００２へ戻って処理を繰り返し、復帰処理を終了する場合（ステップＳ１００９：Ｙｅｓ）は、そのまま一連の未発見物品の復帰処理を終了し、図６に示すステップＳ６０９へ移行する。
【０１０６】
また、ステップＳ６０５において、場所違い状態に対応する処理選択ボタン９３１，９３２，９３３が選択された場合、ステップＳ６０７へ移行して、制御部２０３は、場所違い状態である場所違い物品の復帰処理をおこなう（ステップＳ６０７）。
【０１０７】
ここで、図１１を用いて、本発明の実施形態１にかかるＲＦＩＤリーダ１０１における場所違い物品の復帰処理（図６に示したステップＳ６０７）について説明する。図１１は、本発明の実施形態１にかかる場所違い物品の復帰処理（図６に示したステップＳ６０７）の内容を示すフローチャートである。図１１のフローチャートにおいて、まず、制御部２０３は、表示部２０４を制御して利用者に場所違い状態の物品Ａ・Ｂを登録場所へ戻すか否かを判断する（ステップＳ１１０１）。登録場所へ戻すか否かの判断は、たとえば、図９に示した処理選択ボタン９３１，９３２，９３３に基づいておこなわれる。
【０１０８】
ステップＳ１１０１において、登録場所へ戻さない場合（ステップＳ１１０１：Ｎｏ）は、対象となる場所違い物品の選択を受け付ける（ステップＳ１１０８）。具体的には、制御部２０３は、処理選択ボタン９３２，９３３が選択された場合に場所違い物品を登録場所へ戻さずに物品テーブル３００を更新する。
【０１０９】
そして、制御部２０３は、選択された場所違い物品について、物品テーブル３００の登録場所３０３を発見場所３０４で更新して（ステップＳ１１０９）、一連の場所違い物品の復帰処理を終了する。
【０１１０】
ステップＳ１１０１において、登録場所へ戻す場合（ステップＳ１１０１：Ｙｅｓ）は、制御部２０３は、表示部２０４を制御して利用者に場所違い物品についてサーチ処理を促す（ステップＳ１１０２）。具体的には、制御部２０３は、処理選択ボタン９３１が選択された場合に場所違い物品を探索対象とし、発見場所を報知する。
【０１１１】
制御部２０３は、アンテナ２０２を制御して、発見場所にある物品Ａ・Ｂに貼付された物品タグＴのＩＤを読み取り（ステップＳ１１０３）、場所違い物品のＩＤが読み取れたか否かを判定する（ステップＳ１１０４）。
【０１１２】
ステップＳ１１０４において、場所違い物品のＩＤが読み取れなかった場合（ステップＳ１１０４：Ｎｏ）は、タイムオーバーしたか否かを判断する（ステップＳ１１０８）。
【０１１３】
ステップＳ１１０８において、タイムオーバーした場合（ステップＳ１１０８：Ｙｅｓ）は、利用者に場所違い物品がない旨を報知するなどして、一連の未発見物品の復帰処理を終了し、図６に示すステップＳ６０９へ移行する。ステップＳ１１０８において、タイムオーバーしない場合（ステップＳ１１０８：Ｙｅｓ）は、ステップＳ１１０３へ戻って処理を繰り返す。
【０１１４】
ステップＳ１１０４において、場所違い物品のＩＤが読み取れた場合（ステップＳ１１０４：Ｙｅｓ）は、制御部２０３は表示部２０４や図示しないスピーカなどを制御して、利用者に場所違い物品を発見した旨を報知する（ステップＳ１１０５）。
【０１１５】
そして制御部２０３は、場所違い物品を登録場所へ戻すために、表示部２０４を制御して登録場所を利用者に報知して（ステップＳ１１０６）、場所違い物品の復帰処理を終了するか否かを判断する（ステップＳ１１０７）。この終了に関する判断は、場所違い物品が全て発見された場合や、図示しない終了ボタンが利用者によって選択された場合に終了する。
【０１１６】
ステップＳ１１０７において、復帰処理を終了しない場合（ステップＳ１１０７：Ｎｏ）は、ステップＳ１１０３へ戻って処理を繰り返し、復帰処理を終了する場合（ステップＳ１１０３：Ｙｅｓ）は、そのまま一連の場所違い物品の復帰処理を終了し、図６に示すステップＳ６０９へ移行する。
【０１１７】
また、ステップＳ６０５において、未登録状態に対応する処理選択ボタン９４１が選択された場合、ステップＳ６０８へ移行して、制御部２０３は、未登録状態である未登録物品の復帰処理をおこなう（ステップＳ６０８）。
【０１１８】
ここで、図１２を用いて、本発明の実施形態１にかかるＲＦＩＤリーダ１０１における未登録物品の復帰処理（図６に示したステップＳ６０８）について説明する。図１２は、本発明の実施形態１にかかる未登録物品の復帰処理（図６に示したステップＳ６０８）の内容を示すフローチャートである。図１２のフローチャートにおいて、まず、制御部２０３は、表示部２０４を制御して利用者に未登録状態の物品Ａ・Ｂについてサーチ処理を促す（ステップＳ１２０１）。具体的には、制御部２０３は、検索結果表示画面９００によって処理選択ボタン９４１の選択を促して、未登録物品を探索対象とし、発見場所を報知する。
【０１１９】
制御部２０３は、アンテナ２０２を制御して、発見場所にある物品Ａ・Ｂに貼付された物品タグＴのＩＤを読み取り（ステップＳ１２０２）、未登録物品のＩＤが読み取れたか否かを判定する（ステップＳ１２０３）。
【０１２０】
ステップＳ１２０３において、未登録物品のＩＤが読み取れなかった場合（ステップＳ１２０３：Ｎｏ）は、タイムオーバーしたか否かを判断する（ステップＳ１２０９）。
【０１２１】
ステップＳ１２０９において、タイムオーバーした場合（ステップＳ１２０９：Ｙｅｓ）は、利用者に未登録物品がない旨を報知するなどして、一連の未発見物品の復帰処理を終了し、図６に示すステップＳ６０９へ移行する。ステップＳ１２０９において、タイムオーバーしない場合（ステップＳ１０１３：Ｙｅｓ）は、ステップＳ１２０２へ戻って処理を繰り返す。
【０１２２】
ステップＳ１２０３において、未登録物品のＩＤが読み取れた場合（ステップＳ１２０３：Ｙｅｓ）は、制御部２０３は表示部２０４や図示しないスピーカなどを制御して、利用者に未登録物品を発見した旨を報知する（ステップＳ１２０４）。
【０１２３】
制御部２０３は、ステップＳ１２０３において読み取られた未登録物品のＩＤと、記録部２０１に記録された廃棄リスト５００とを照合し、読み取られた未登録物品のＩＤが廃棄リスト５００に存在するか否かを判断する（ステップＳ１２０５）。
【０１２４】
ステップＳ１２０５において、未登録物品のＩＤが廃棄リスト５００に存在する場合（ステップＳ１２０５：Ｙｅｓ）は、制御部２０３は、利用者へ未登録物品の廃棄を促す（ステップＳ１２０６）。具体的には、制御部２０３は、表示部２０４を制御して未登録物品が、既に廃棄されているはずの物品である旨を表示することで廃棄を促す。
【０１２５】
ステップＳ１２０５において、未登録物品のＩＤが廃棄リスト５００に存在しない場合（ステップＳ１２０５：Ｎｏ）は、制御部２０３は、利用者へ未登録物品の登録を促す（ステップＳ１２０７）。具体的には、制御部２０３は、表示部２０４を制御して未登録物品が、廃棄されている物品ではなく、新たに登録する必要がある旨を表示することで登録を促す。
【０１２６】
制御部２０３は、未登録物品の復帰処理を終了するか否かを判断する（ステップＳ１２０８）。この終了に関する判断は、未登録物品が全て発見された場合や、図示しない終了ボタンが利用者によって選択された場合に終了する。
【０１２７】
ステップＳ１２０８において、復帰処理を終了しない場合（ステップＳ１２０８：Ｎｏ）は、ステップＳ１２０２へ戻って処理を繰り返し、復帰処理を終了する場合（ステップＳ１２０８：Ｙｅｓ）は、そのまま一連の未登録物品の復帰処理を終了し、図６に示すステップＳ６０９へ移行する。
【０１２８】
図６へ戻って、ステップＳ６０６，７０７，７０８のいずれかが終了すると、制御部２０３は、復帰処理を終了するか否かを判断する（ステップＳ６０９）。復帰処理の終了に関する判断は、棚卸異常状態が棚卸正常状態へ復帰した場合に終了する。また、すべての棚卸異常状態について復帰処理を実行した場合に終了したり、図示しない終了ボタンが利用者によって選択された場合に終了したりしてもよい。
【０１２９】
なお、本発明の各構成要素における処理と、本発明の実施形態１の各処理または各機能とを関連付けて説明すると、図６のフローチャートで説明したステップＳ６０１におけるアンテナ２０２および制御部２０３の処理によって、本発明にかかる領域情報取得手段の処理が実行される。また、ステップＳ６０２およびステップＳ６０３における制御部２０３および表示部２０４の処理によって、本発明にかかる判定手段、分類手段および表示手段の処理が実行される。また、ステップＳ６０４〜ステップＳ６０９におけるアンテナ２０２、制御部２０３および表示部２０４の処理によって、本発明にかかる復帰処理手段の処理が実行される。
【０１３０】
以上説明したように、本発明の実施形態１にかかるＲＦＩＤリーダは、棚卸異常状態に分類された物品について、利用者に適切な対処を取らせることで、物品の収納状況を正常に保つことができる。具体的には、未発見状態に分類された物品を探索対象としてサーチ処理を実行させて、サーチ結果に応じて物品リストを更新させたり、物品を登録場所へ戻させたりすることができる。
【０１３１】
また、場所違い状態に分類された物品について、物品リストの登録場所を変更して正常な状態に復帰させたり、登録場所へ戻すため場所違いに分類された物品を探索対象としてサーチ処理を実行させたりすることができる。さらに、未登録状態に分類された物品について、廃棄対象の物品かどうかを確認して、物品の廃棄または登録を実行させることができる。
【０１３２】
（その他の一部機能の変形例）
本発明の実施形態１では特に、領域情報取得手段の処理の一例として、図６に示したステップＳ６０１において、領域タグの棚卸領域情報を読み取らせることとして説明したが、これに限ることはない。具体的には、たとえば、ＲＦＩＤリーダにＧＰＳ（Ｇｌｏｂａｌ  Ｐｏｓｉｔｉｏｎｉｎｇ  Ｓｙｓｔｅｍ）などの位置算出手段を備える構成とすれば、棚卸をおこなう領域情報を取得できる。このようにすることで、棚卸領域に領域タグを設けることなく棚卸を実行することができる。
【０１３３】
本発明の実施形態１では特に、図６に示したステップＳ６０１において領域タグを読み取ってから、ステップＳ６０２において物品タグを読み取って棚卸をおこなうこととして説明したが、これに限ることはない。具体的には、たとえば、ＲＦＩＤリーダは、領域タグと物品タグの区別をせずに無線タグを読み取る。ＲＦＩＤリーダは、無線タグが物品を示すか場所を示すかを判断して処理をおこなうことで、利用者は、棚卸領域情報を取得するためにわざわざ領域タグを選択して読み込ませなくてもよく、簡便に棚卸をおこなうことができる。
【０１３４】
また、本発明の実施形態１では特に、表示手段による棚卸結果表示画面の一例として、図９に示した棚卸結果表示画面９００を表示部２０４に表示することとして説明したが、これに限ることはない。具体的には、たとえば、図４に示した棚卸後の物品テーブル４００の情報を用いて、棚卸異常状態とともに棚卸正常状態についても表示することとしてもよい。このようにすれば、利用者は、棚卸が正常に実行されたことを容易に認識することができる。
【０１３５】
また、本発明の実施形態１では特に、図６に示したステップＳ６０４およびステップＳ６０５において棚卸異常状態に応じて、利用者に選択される処理選択ボタン９２１，９３１，９３２，９３３，９４１に基づいておこなわれることとして説明したが、これに限ることはない。具体的には、たとえば、棚卸異常状態ごとに優先順位を設定しておき、優先順位に従って自動的に復帰処理を実行させるようにしてもよい。その場合、未発見状態や未登録状態について、ステップＳ１００１やステップＳ１２０１に示したようにサーチ処理を促すことなく、自動的にサーチ処理を実行させるようにしてもよい。また、利用者によって、図示しないキャンセルボタンが選択された場合には復帰処理を行わずに処理を終了するようにしてもよい。
【０１３６】
場所違い状態について、ステップＳ１１０１において物品を登録場所へ戻すか否かを処理選択ボタン９３１，９３２，９３３に基づいて判断する構成としているが、これに限ることはない。具体的には、たとえば、登録場所、物品にそれぞれ属性（カテゴリ）を設定しておき、場所が違っていてもカテゴリが同じならば登録場所へ戻さなくてもよいと判断してもよい。
【０１３７】
より具体的には、たとえば、図書館における書籍管理の場合、保管場所や書籍に世界文学のカテゴリと、小説のカテゴリが設定されていることがある。世界文学のカテゴリが設定された書籍は、世界文学のカテゴリが設定された保管場所にあるのであれば、登録場所と違う場所にあったとしても、登録場所へ戻さなくてもよい。一方、小説のカテゴリが設定された書籍は、世界文学のカテゴリが設定された保管場所にあるのであれば、自動的に登録場所へ戻すように判断する構成としてもよい。また、物品に収納してもよい場所を複数登録しておいてもよい。このように自動的に復帰処理へ移行することによって、利用者に、負担を強いることなく棚卸異常状態への適切な対処を取らせることができる。
【０１３８】
本発明の実施形態１では特に、ステップＳ１００１において、未発見物品を探索対象としてサーチ処理を促す構成とした。このサーチ処理の際、未発見物品が前回の棚卸時には発見されていた場合は、前回の発見場所や発見日時などの記録を参考情報として放置する構成でもよい。このようにすれば、利用者は、未発見物品の前回の状態を参考にしてサーチ処理をおこなうことができる。
【０１３９】
本発明の実施形態１では特に、ステップＳ１０１１やステップＳ１１０６において、物品を登録場所へ戻す場合に登録場所を報知する構成としているが、登録場所へ戻したことを確認できる構成にしてもよい。具体的には、たとえば、利用者が物品を登録場所へ戻した後にＲＦＩＤリーダに領域タグを読み込ませる。このようにすれば、確実に棚卸正常状態へ復帰させることができる。
【０１４０】
また、本発明の実施形態１では特に、図１２に示したステップＳ１２０５およびステップＳ１２０６において、未登録状態の物品が廃棄リストに存在する場合、廃棄を促す構成としたが再登録を促す構成としてもよい。また、ステップＳ１２０５およびステップＳ１２０７において、未登録状態の物品が廃棄リストに存在しない場合、登録を促す構成としたが棚卸と関係ない物品として以降は読み取り時に無視するように設定してもよい。このようにすることで、未登録状態であった物品についても次回以降の棚卸を適切におこなうことができる。
【０１４１】
なお、本発明の実施形態１では、特に説明しなかったが、図６で示したステップＳ６０３〜６０５における復帰処理の選択は、複数の棚卸領域（本実施形態１では、棚卸領域ＲｏｏｍＡ，ＲｏｏｍＢ）の棚卸結果に関する表示に基づいておこなう構成としている。この際、複数の棚卸領域で重複して同じ物品タグＴの識別情報が読み取れる場合は、収納領域と同じ棚卸領域を優先して棚卸結果とすることとしてもよい。また、図示はしないが、各棚卸領域の間に壁などによる遮蔽構造物によって、棚卸領域で棚卸をおこなう場合でも別の棚卸領域にある物品の物品タグＴは読み取ることができないこととしてもよい。
【０１４２】
（実施形態２）
（物品棚卸システムの概要）
つぎに、本発明の実施形態２について説明する。本発明の実施形態２では、前述の実施形態１において示したＲＦＩＤリーダ１０１による機能を、ＲＦＩＤリーダと、データベース（ＤＢ）サーバとを用いて実現する場合について説明する。具体的には、たとえば、ＲＦＩＤリーダによって無線タグと通信し、ＤＢサーバによって物品リストを記録する構成となる。まず、図１３を用いて、本発明の実施形態２にかかる物品棚卸システムの概要について説明する。図１３は、本発明の実施形態２にかかる物品棚卸システムの概要を示す説明図である。なお、本発明の実施形態２にかかる物品棚卸システムの概要について、実施の形態１で示した図１と同様である部分は同一の符号を付して説明を省略している。
【０１４３】
図１３において、物品棚卸システム１３００は、ＲＦＩＤリーダ１３０１と、ＤＢサーバ１３０２と、棚卸領域ＲｏｏｍＡ，ＲｏｏｍＢの出入口に設置された領域タグＴａ，Ｔｂと、物品Ａ・Ｂに貼付された各物品Ａ・Ｂの識別情報が記録された物品タグＴと、から構成されている。なお、本発明の実施形態２では、ＲＦＩＤリーダ１３０１によって本発明にかかる無線タグ通信装置、ＤＢサーバ１３０２によって、本発明にかかるデータベースを実現する場合について説明する。また、ＲＦＩＤリーダ１３０１と、ＤＢサーバ１３０２との接続は、有線、無線を限るものではなく、たとえば、Ｂｌｕｅｔｏｏｔｈ（登録商標）などによって接続される。
【０１４４】
ＲＦＩＤリーダ１３０１は、利用者から入力部１４０５（図１４参照）によって入力される操作に基づいて、通信範囲に存在する無線タグのＩＤを読み取って、読み取った情報をＤＢサーバ１３０２へ送信する。具体的には、ＲＦＩＤリーダ１３０１は、棚卸領域ＲｏｏｍＡの出入口で領域タグＴａから棚卸領域ＲｏｏｍＡの棚卸領域情報として領域タグＴａのＩＤを読み取って、ＤＢサーバ１３０２へ送信する。そして、ＲＦＩＤリーダ１３０１は、ＤＢサーバ１３０２から、これから棚卸をおこなう領域が棚卸領域ＲｏｏｍＡである旨の情報を受信すると、表示部１４０４（図１４参照）にその旨を表示する。また、ＲＦＩＤリーダ１３０１は、棚卸領域ＲｏｏｍＡ内に保管されている物品Ａの識別情報として、物品Ａに貼付された物品タグＴのＩＤを読み取って、ＤＢサーバ１３０２へ送信する。
【０１４５】
ＤＢサーバ１３０２は、ＲＦＩＤリーダ１３０１から送信された領域タグＴａのＩＤから、ＲＦＩＤリーダ１３０１が棚卸を行う領域を特定し、棚卸をおこなう領域が棚卸領域ＲｏｏｍＡである旨の情報をＲＦＩＤリーダ１３０１へ送信する。また、ＤＢサーバ１３０２は、ＲＦＩＤリーダ１３０１から送信された物品Ａに貼付された物品タグＴのＩＤから、棚卸領域ＲｏｏｍＡ内の物品Ａの棚卸を行って、その結果を表示部１４１４（図１４参照、不図示）に表示する。
【０１４６】
同様にして、ＲＦＩＤリーダ１３０１は、入力部１４０５によって入力される操作に基づいて、棚卸領域ＲｏｏｍＢの出入口で領域タグＴｂから領域タグＴｂのＩＤを読み取ると、ＤＢサーバ１３０２へ送信する。そして、ＲＦＩＤリーダ１３０１は、ＤＢサーバ１３０２から、これから棚卸をおこなう領域が棚卸領域ＲｏｏｍＢである旨の情報を受信すると、表示部１４０４にその旨を表示する。また、ＲＦＩＤリーダ１３０１は、棚卸領域ＲｏｏｍＢ内に保管されている物品Ｂに貼付された物品タグＴのＩＤを読み取って、ＤＢサーバ１３０２へ送信する。
【０１４７】
ＤＢサーバ１３０２は、ＲＦＩＤリーダ１３０１から送信された領域タグＴｂのＩＤから、ＲＦＩＤリーダ１３０１が棚卸を行う領域を特定し、棚卸をおこなう領域が棚卸領域ＲｏｏｍＢである旨の情報をＲＦＩＤリーダ１３０１へ送信する。また、ＤＢサーバ１３０２は、ＲＦＩＤリーダ１３０１から送信された物品Ｂに貼付された物品タグＴのＩＤから、棚卸領域ＲｏｏｍＢ内の物品Ｂの棚卸を行って、その結果を表示部１４１４に表示する。
【０１４８】
具体的には、ＤＢサーバ１３０２は、物品Ａ・Ｂが存在していない（棚卸をおこなった領域にない）状態や、物品Ａ・Ｂが収納されるべき領域に正しく収納されていない状態などの棚卸異常状態を表示部１４１４に表示する。さらに、ＤＢサーバ１３０２は、棚卸状態を正常に復帰させる復帰処理を促す表示をおこなう。また、ＤＢサーバ１３０２は、復帰処理のため、棚卸異常状態として分類された物品Ａ・Ｂを探索対象として、ＲＦＩＤリーダ１３０１に探索指示を出力する。そして、ＲＦＩＤリーダ１３０１は、ＤＢサーバ１３０２から出力された探索指示に基づいて、棚卸異常状態として分類された物品Ａ・Ｂの探索をおこなうことができる。
【０１４９】
（物品棚卸システム１３００のハードウェア構成）
つぎに、図１４を用いて、図１４に示した物品棚卸システム１３００のハードウェア構成について説明する。図１４は、本発明の実施形態２にかかる物品棚卸システムのハードウェア構成の一例を示す説明図である。
【０１５０】
図１４において、ＲＦＩＤリーダ１３０１は、記録部１４０１と、アンテナ１４０２と、制御部１４０３と、表示部１４０４と、入力部１４０５と、接続部１４０６と、を備えている。
【０１５１】
記録部１４０１は、ＨＤや着脱可能な記録媒体の一例としてのＦＤなどであり、この記録部１４０１には、それぞれのドライブデバイスの制御にしたがってデータが記録される。また、記録部１４０１からは、それぞれのドライブデバイスの制御にしたがってデータが読み取られる。
【０１５２】
アンテナ１４０２は、制御部１４０３の制御にしたがって、通信範囲に存在する物品タグＴや領域タグＴａ，Ｔｂと通信をおこなう。アンテナ１４０２は、物品タグＴや領域タグＴａ，Ｔｂとの通信によって、棚卸領域情報や識別情報を読み取り、読み取った結果を接続部１４０６を介してＤＢサーバ１３０２へ送信する。
【０１５３】
制御部１４０３は、ＲＦＩＤリーダ１３０１全体の制御を司る。具体的には、制御部１４０３は、ＣＰＵ、ＲＯＭ、ＲＡＭなどによって構成されており、ＲＯＭは、各種プログラムを記録している。また、ＲＡＭは、ＣＰＵのワークエリアとして使用される。詳細には制御部１４０３は、ＲＦＩＤリーダ１３０１の電源が入ると各構成部の制御プログラムを起動させ、各構成部の制御をおこなう。たとえば、制御部１４０３は、アンテナ１４０２を制御して物品タグＴや領域タグＴａ，Ｔｂから棚卸領域情報や識別情報を読み取らせる。
【０１５４】
制御部１４０３は、表示部１４０４の出力制御をおこない、棚卸結果情報や操作案内情報などを表示させる。制御部１４０３は、入力部１４０５からの各種入力情報を受け付け、受け付けた入力情報に基づいてＲＦＩＤリーダ１３０１の制御をおこなう。入力部１４０５は、たとえば、タッチパネルや操作ボタンなどによって構成され、利用者によって各種入力がおこなわれる。
【０１５５】
ＤＢサーバ１３０２は、ＤＢ１４１１と、接続部１４１２と、制御部１４１３と、表示部１４１４と、入力部１４１５と、を備えている。
【０１５６】
ＤＢ１４１１は、ＨＤやＦＤなどの記録媒体であり、このＤＢ１４１１には、それぞれのドライブデバイスの制御にしたがってデータが記録される。また、ＤＢ１４１１からは、それぞれのドライブデバイスの制御にしたがってデータが読み取られる。
【０１５７】
このＤＢ１４１１には、上記物品リストを含む各種データが記録されている。具体的には、ＤＢ１４１１には、図３〜図５に示した各種データなどが記録されている。
【０１５８】
接続部１４１２は、ＲＦＩＤリーダ１３０１から送信された情報を受け付ける。具体的には、接続部１４１２は、棚卸領域情報や物品Ａ・Ｂの識別情報を受信し、制御部１４１３の制御にしたがって、ＤＢ１４１１へ書き込みをおこなう。
【０１５９】
制御部１４１３は、接続部１４１２を介して受信された物品Ａ・Ｂの識別情報および棚卸領域情報について、ＤＢ１４１１に記録されている物品テーブル３００，４００における登録識別情報および収納領域情報がそれぞれ一致するか否かを判定する。
【０１６０】
制御部１４１３は、識別情報および登録識別情報と、棚卸領域情報および収納領域情報とのうち、少なくともいずれか一方が一致しないと判定された場合、物品Ａ・Ｂを棚卸異常状態に分類する。具体的には、たとえば、制御部１４１３は、登録識別情報のうち、識別情報が読み取れなかった物品Ａ・Ｂを未発見状態に分類する。また、制御部１４１３は、識別情報と登録識別情報とが一致した物品Ａ・Ｂについて、棚卸領域情報と収納領域情報とが一致しない場合は、物品Ａ・Ｂを場所違い状態に分類する。また、制御部１４１３は、棚卸によって読み取られた識別情報のうち、登録識別情報にない物品Ａ・Ｂを未登録状態に分類する。
【０１６１】
制御部１４１３は、棚卸異常状態に分類された物品Ａ・Ｂについて、棚卸正常状態への復帰処理を実行する。具体的には、制御部１４１３は、未発見状態に分類された物品Ａ・Ｂに基づいて、物品タグＴの読み取りをおこなう。すなわち、制御部１４１３は、未発見状態に分類された物品Ａ・Ｂを探索対象として物品Ａ・Ｂの物品タグＴの読み取りをおこない、読取結果に基づいて物品テーブル４００を更新させる。
【０１６２】
制御部１４１３は、物品Ａ・Ｂが場所違い状態に分類された場合、物品Ａ・Ｂの棚卸領域情報に基づいて物品テーブル４００を更新する。具体的には、制御部１４１３は、物品Ａ・Ｂについて棚卸された棚卸領域情報が収納領域情報とは異なる場合、物品テーブル４００における発見場所３０４を物品Ａ・Ｂの識別情報を読み取った（棚卸された）棚卸領域情報に変更する。また、制御部２０３は、物品Ａ・Ｂが場所違い状態に分類された場合、物品Ａ・Ｂを探索対象として物品タグＴの読み取りをおこない、読取結果に基づいて収納領域情報を報知することとしてもよい。このようにすることで、収納領域情報と異なった棚卸領域情報であった物品Ａ・Ｂを探索して、物品Ａ・Ｂを収納されるべき領域に戻すことができる。
【０１６３】
制御部１４１３は、物品Ａ・Ｂが未登録状態に分類された場合、物品Ａ・Ｂの識別情報と、廃棄された廃棄物品の識別情報を示す廃棄テーブルとを比較した結果に基づいて、復帰処理を実行する。具体的には、制御部１４１３は、未登録状態に分類された物品Ａ・Ｂが廃棄テーブルに存在する場合、廃棄されたはずの物品Ａ・Ｂがまだ存在していることになるため、利用者に、その物品Ａ・Ｂの廃棄を促す。また、制御部１４１３は、未登録状態に分類された物品Ａ・Ｂが廃棄テーブルに存在しない場合、利用者に、その物品Ａ・Ｂを物品テーブル４００へ登録するよう促す。
【０１６４】
制御部１４１３は、表示部１４１４の出力制御をおこない、棚卸結果情報を報知させる。具体的には、棚卸結果情報は、制御部１４１３によって分類された棚卸異常状態を示す情報でもよい。また、制御部１４１３は、表示部１４１４を介して利用者に復帰処理に関する報知をおこなう。制御部１４１３は、入力部１４１５からの各種入力情報を受け付け、受け付けた入力情報に基づいてＲＦＩＤリーダ１３０１への情報送受信や各種操作の制御をおこなう。入力部１４１５は、たとえば、タッチパネルや操作ボタンなどによって構成され、利用者によって各種入力がおこなわれる。
【０１６５】
なお、本発明の実施形態２では、物品Ａ・Ｂが棚卸異常状態に分類された場合について説明したが、識別情報および登録識別情報と、棚卸領域情報および収納領域情報とがそれぞれ一致した場合は、棚卸正常状態であるため、復帰処理をおこなうことなく、利用者に棚卸が正常であった旨を報知する。
【０１６６】
なお、各構成要素と、各機能とを対応付けて説明すると、図１３に示したＲＦＩＤリーダ１３０１において、図１４に示した制御部１４０３がアンテナ１４０２を制御することによって、本発明にかかる無線通信手段および領域情報取得手段の機能を実現する。また、制御部１４０３が接続部１４０６を制御することによって、本発明にかかる送信手段の機能を実現する。さらに、図１３に示したＤＢサーバ１３０２において、制御部１４１３が接続部１４１２を制御することによって、本発明にかかる受信手段を実現する。また、制御部１４１３の処理によって、本発明にかかる判定手段および分類手段の機能を実現する。また、制御部１４１３が表示部１４１４を制御することによって、本発明にかかる表示手段の機能を実現する。また、制御部１４１３が接続部１４１２や表示部１４１４を制御することによって、本発明にかかる復帰処理手段の機能を実現する。
【０１６７】
（物品棚卸システム１３００の処理の概要）
ここで、本発明の実施形態２にかかる物品棚卸システム１３００の処理の内容について説明する。なお、本発明の実施形態２にかかる物品棚卸システムのデータの概要、棚卸結果情報の表示の概要については、実施の形態１とほぼ同様であるため説明を省略する。また、本発明の実施形態２にかかる処理の概要については、実施の形態１で示した図６〜図１２とほぼ同様であるため、特に異なる処理について図６〜図１２を用いて説明する。具体的には、本発明の実施形態２では、ＲＦＩＤリーダ１３０１と、ＤＢサーバ１３０２とによって、実施の形態１におけるＲＦＩＤリーダ１０１の処理をおこなう構成である。
【０１６８】
図６に示したステップＳ６０１は、ＲＦＩＤリーダ１３０１と、ＤＢサーバ１３０２とによって実行される処理である。図６に示したステップＳ６０２は、ＲＦＩＤリーダ１３０１と、ＤＢサーバ１３０２とによって実行される処理である。具体的には、ＲＦＩＤリーダ１３０１によって、棚卸領域にある物品Ａ・Ｂに貼付された物品タグＴのＩＤを読み取る（図７に示したステップＳ７０１）。そして、ＲＦＩＤリーダ１３０１は、読み取ったＩＤをＤＢサーバ１３０２へ送信する。ＤＢサーバ１３０２は、ＲＦＩＤリーダ１３０１から送信されたＩＤを用いて、ステップＳ７０２以降の処理をおこなう。
【０１６９】
図６に示したステップＳ６０３は、ＤＢサーバ１３０２によって実行される処理である。具体的には、ＤＢサーバ１３０２は、図８に示した棚卸結果の表示処理をおこなう。なお、本発明の実施形態２では、ステップＳ８１２において表示部１４１４に棚卸結果を表示する構成としているが、ＲＦＩＤリーダ１３０１へ棚卸結果を送信して、表示部１４０４に棚卸結果を表示してもよい。
【０１７０】
図６に示したステップＳ６０４およびステップＳ６０５は、ＤＢサーバ１３０２によって実行される処理である。具体的には、復帰処理の選択は、ステップＳ６０３の表示処理によって図９に示した棚卸結果表示画面９００を表示し、利用者に選択される処理選択ボタン９２１，９３１，９３２，９３３，９４１に基づいておこなわれる。
【０１７１】
図６に示したステップＳ６０６、ステップＳ６０７、ステップＳ６０８は、ＲＦＩＤリーダ１３０１と、ＤＢサーバ１３０２とによって実行される処理である。具体的には、ＲＦＩＤリーダ１３０１によって、利用者にサーチ処理を促す（図１０に示したステップＳ１００１、図１１に示したステップＳ１１０１，Ｓ１１０２、図１２に示したステップＳ１２０１）。
【０１７２】
そして、ＤＢサーバ１３０２は、処理選択ボタン９２１，９３１，９３２，９３３，９４１の選択に基づいて、ＲＦＩＤリーダ１３０１に対して探索指示を出力する。ＲＦＩＤリーダ１３０１は、ＤＢサーバ１３０２からの探索指示に応じて物品のサーチ処理をおこない（図１０に示したステップＳ１００２、Ｓ１００３、図１１に示したステップＳ１１０３、図１２に示したステップＳ１２０２）、探索結果をＤＢサーバ１３０２へ出力する。そして、ＤＢサーバ１３０２は、ＲＦＩＤリーダ１３０１から出力された探索結果に基づいて、以降の処理をおこなう。
【０１７３】
以上説明したように、本発明の実施形態２にかかる物品棚卸システムによれば、棚卸異常状態に分類された物品について、利用者に適切な対処を取らせることで、物品の収納状況を正常に保つことができる。特に、本発明の実施形態２は、ＤＢサーバによって棚卸に関する判定、棚卸状態の分類および棚卸正常状態への復帰など各処理を実行させる構成としたため、ＲＦＩＤリーダの構成を簡略化することができる。また、ＤＢサーバは、ＰＣなどによって構成することができるため、物品棚卸システムの汎用性の向上を実現することができる。
【０１７４】
（その他の一部機能の変形例）
なお、本発明の実施形態２では、ステップＳ１００４、ステップＳ１０１１、ステップＳ１１０５、ステップＳ１１０６、ステップＳ１２０４において、表示部１４１４によって各種報知をおこなうこととしているが、ＲＦＩＤリーダ１３０１の表示部１４０４によって報知する構成としてもよい。その場合、各ステップＳ１００４、ステップＳ１０１１、ステップＳ１１０５、ステップＳ１１０６、ステップＳ１２０４の前に、ＤＢサーバ１３０２からＲＦＩＤリーダ１３０１へ報知する情報を送信することとなる。このようにすれば、利用者は、一々ＤＢサーバ１３０２の表示部１４１４を確認しなくても、ＲＦＩＤリーダ１３０１の表示部１４０４を確認するだけで、報知される情報を確認することができる。
【０１７５】
また、本発明の実施形態２では特に、領域情報取得手段の処理の一例として、図６に示したステップＳ７０１において、領域タグの棚卸領域情報を読み取らせることとして説明したが、これに限ることはない。具体的には、たとえば、ＲＦＩＤリーダにＧＰＳ（Ｇｌｏｂａｌ  Ｐｏｓｉｔｉｏｎｉｎｇ  Ｓｙｓｔｅｍ）などの位置算出手段を備える構成とすれば、棚卸をおこなう領域情報を取得できる。この場合、送信手段および受信手段は、棚卸領域情報および棚卸物品の識別情報の情報の種別によって異なる構成としてもよい。このようにすることで、棚卸領域に領域タグを設けることなく棚卸を実行することができる。
【図面の簡単な説明】
【０１７６】
【図１】本発明の実施形態１にかかる物品の棚卸の概要を示す説明図である。
【図２】本発明の実施形態１にかかるにおけるＲＦＩＤリーダのハードウェア構成の一例を示す説明図である。
【図３】本発明の実施形態１にかかる棚卸実行前の物品テーブルの概要を示す説明図である。
【図４】本発明の実施形態１にかかる棚卸実行後の物品テーブルを示す説明図である。
【図５】本発明の実施形態１にかかる廃棄テーブルを示す説明図である。
【図６】本発明の実施形態１にかかるＲＦＩＤリーダの処理の内容を示すフローチャートである。
【図７】本発明の実施形態１にかかる棚卸処理（図６に示したステップＳ６０２）の内容を示すフローチャートである。
【図８】本発明の実施形態１にかかる棚卸結果の表示処理（図６に示したステップＳ６０３）の内容を示すフローチャートである。
【図９】本発明の実施形態１にかかる棚卸結果表示画面の一例を示す説明図である。
【図１０】本発明の実施形態１にかかる未発見物品の復帰処理（図６に示したステップＳ６０６）の内容を示すフローチャートである。
【図１１】本発明の実施形態１にかかる場所違い物品の復帰処理（図６に示したステップＳ６０７）の内容を示すフローチャートである。
【図１２】本発明の実施形態１にかかる未登録物品の復帰処理（図６に示したステップＳ６０８）の内容を示すフローチャートである。
【図１３】本発明の実施形態２にかかる物品棚卸システムの概要を示す説明図である。
【図１４】本発明の実施形態２にかかる物品棚卸システムのハードウェア構成の一例を示す説明図である。
【符号の説明】
【０１７７】
１３００  物品棚卸システム
１０１，１３０１  ＲＦＩＤリーダ
Ａ・Ｂ  物品
Ｔ  物品タグ
Ｔａ，Ｔｂ  領域タグ
２０１，１４０１  記録部
２０２，１４０２  アンテナ
２０３，１４０３，１４１３  制御部
２０４，１４０４，１４１４  表示部
２０５，１４０５，１４１５  入力部
１３０２  ＤＢサーバ
１４０６，１４１２  接続部
１４１１  ＤＢ
【図１】
2010070332.tif 000003
【図２】
2010070332.tif 000004
【図３】
2010070332.tif 000005
【図４】
2010070332.tif 000006
【図５】
2010070332.tif 000007
【図６】
2010070332.tif 000008
【図７】
2010070332.tif 000009
【図８】
2010070332.tif 000010
【図９】
2010070332.tif 000011
【図１０】
2010070332.tif 000012
【図１１】
2010070332.tif 000013
【図１２】
2010070332.tif 000014
【図１３】
2010070332.tif 000015
【図１４】
2010070332.tif 000016